(57)【要約】【課題】正規のユーザ以外のユーザに対するコンテンツ配信を防止すると共に、携帯電話端末の通信サービスを提供する会社を介さずに課金する。【解決手段】サーバ装置２０は、所定数のコンテンツと、受信されたユニークなＵＲＬ情報と、当該ユニークなＵＲＬ情報と共に受信された端末識別情報と、当該ユニークなＵＲＬ情報と共に受信された機種情報と、を対応付けて記憶する対応関係記憶部２５と、コピーが制限されたコンテンツが送信された後に、他の端末識別情報、他のＵＲＬ情報、及び他の機種情報を更に受信し、他のＵＲＬ情報が対応関係記憶部２５に既に記憶され、他の端末識別情報が他のＵＲＬ情報に対応付けられた端末識別情報と異なる場合に、コンテンツのダウンロードができないことを示す情報を他の端末識別情報の携帯電話端末１０に送信する送受信部２１と、を備えている。  【選択図】図３
2011010136.tif 000002
【特許請求の範囲】
【請求項１】
携帯電話端末から送信された端末識別情報、ＵＲＬ情報、及び機種情報を受信する情報受信手段と、
複数のコンテンツを記憶するコンテンツ記憶手段と、
前記情報受信手段によりユニークなＵＲＬ情報が受信された場合に、前記コンテンツ記憶手段に記憶された複数のコンテンツの中から所定数のコンテンツを選択するコンテンツ選択手段と、
前記コンテンツ選択手段により選択された所定数のコンテンツと、前記情報受信手段により受信された前記ユニークなＵＲＬ情報と、当該ユニークなＵＲＬ情報と共に受信された前記端末識別情報と、当該ユニークなＵＲＬ情報と共に受信された機種情報と、を対応付けて記憶する対応関係記憶手段と、
前記情報受信手段によりユニークなＵＲＬ情報が受信された場合に、前記コンテンツ選択手段により選択された所定数のコンテンツの少なくとも１つがダウンロード可能であることを示すダウンロード可能情報を、前記選択された所定数のコンテンツに対応付けられた端末識別情報の携帯電話端末に送信する情報送信手段と、
前記送信手段によりダウンロード可能情報が送信された携帯電話端末から前記所定数のコンテンツの少なくとも１つのダウンロードの要求があった場合に、前記要求されたコンテンツに対応付けられた機種情報に応じて前記要求されたコンテンツを変換するコンテンツ変換手段と、
前記コンテンツ変換手段により変換され、コピーが制限されたコンテンツを、当該コンテンツを要求した携帯電話端末へ送信するコンテンツ送信手段と、を備え、
前記情報受信手段は、前記コンテンツ送信手段が前記コンテンツを送信した後に、他の端末識別情報、他のＵＲＬ情報、及び他の機種情報を更に受信し、
前記情報送信手段は、前記他のＵＲＬ情報が前記対応関係記憶手段に既に記憶され、前記他の端末識別情報が前記他のＵＲＬ情報に対応付けられた端末識別情報と異なる場合に、コンテンツのダウンロードができないことを示す情報を前記他の端末識別情報の携帯電話端末に送信する
ユニークなＵＲＬ情報を用いた携帯電話端末へのコンテンツ配信サーバ装置。
【請求項２】
前記コンテンツ選択手段は、前記他のＵＲＬ情報が前記対応関係記憶手段に記憶されていないユニークなＵＲＬ情報であり、かつ、前記他の端末識別情報が前記対応関係記憶手段に既に記憶されている場合に、前記コンテンツ記憶手段に記憶された複数のコンテンツの中から、前記他の端末識別情報に対応付けられている所定数のコンテンツと異なる所定数のコンテンツを選択する
請求項１に記載のユニークなＵＲＬ情報を用いた携帯電話端末へのコンテンツ配信サーバ装置。
【請求項３】
前記情報送信手段は、前記他のＵＲＬ情報が前記対応関係記憶手段に既に記憶され、かつ、前記他の端末識別情報が前記既に記憶された他のＵＲＬ情報に対応付けられた端末識別情報と同一である場合に、前記他のＵＲＬ情報に対応付けられた所定数のコンテンツの少なくとも１つがダウンロード可能であることを示すダウンロード可能情報を、前記他の端末識別情報の携帯電話端末に送信する
請求項１または請求項２に記載のユニークなＵＲＬ情報を用いた携帯電話端末へのコンテンツ配信サーバ装置。
【請求項４】
請求項１から請求項３のいずれか１項に記載のユニークなＵＲＬ情報を用いた携帯電話端末へのコンテンツ配信サーバ装置と、
端末識別情報と、機種情報と、２次元バーコードの読み取り結果から得られたＵＲＬ情報と、を送信し、前記サーバ装置から送信されたコンテンツを受信する複数の携帯電話端末と、
を備えたユニークなＵＲＬ情報を用いた携帯電話端末へのコンテンツ配信システム。
【発明の詳細な説明】
【技術分野】
【０００１】
本発明は、ユニークなＵＲＬ情報を用いた携帯電話端末へのコンテンツ配信サーバ装置及びシステムに関する。
【背景技術】
【０００２】
現在、携帯電話端末へコンテンツを提供するサーバ装置を有するコンテンツ提供会社は、携帯電話端末からコンテンツの要求があった場合に、その携帯電話端末に対してコンテンツを配信し、携帯電話端末の通信サービスを提供する会社（キャリア）を介して、コンテンツに対して課金している。
【０００３】
携帯電話端末からサーバ装置へのコンテンツの要求の仕方としては、２次元バーコード画像から生成されたＵＲＬをサーバ装置へ送信する技術が提案されている（特許文献１を参照）。
【０００４】
具体的には、特許文献１の技術では、携帯電話機が、２次元バーコード画像から再生したＵＲＬとパスワードとをコンテンツ配信装置へ送信する。なお、パスワードは、コンテンツ掲示装置ＩＤと掲示時間帯情報とに対応付けられたものである。そして、コンテンツ配信装置は、ＵＲＬとパスワードとの関係を認証し、配信可能と認証されたときに、携帯端末向けコンテンツを携帯電話機へ配信する。これにより、ユーザは、コンテンツ配信装置から所望のコンテンツを入手することができる。
【先行技術文献】
【特許文献】
【０００５】
【特許文献１】特開２００８−９０５１２号公報
【発明の概要】
【発明が解決しようとする課題】
【０００６】
ところで、携帯電話端末のコンテンツは、時間や場所を選ばずに提供可能である。このため、例えばイベント会場において、様々な商品を販売するだけでなく、更に、携帯電話端末のコンテンツを販売したいという要請がある。
【０００７】
しかし、特許文献１の技術を用いてアクセスする方法では、あるユーザが正規に入手した２次元バーコード画像を他のユーザに譲った場合、他のユーザはその２次元バーコード画像から生成されるＵＲＬ及びパスワードを使ってサーバ装置にアクセスする、いわゆる「なりすまし」が可能である。
【０００８】
このため、コンテンツ提供会社は、ＵＲＬ及びパスワードを使ってユーザ認証を行っても、なりすましのユーザに対するコンテンツの配信を回避することができず、なりすましのユーザに対して課金できない問題があった。
【０００９】
また、従来、コンテンツ提供会社は、キャリアを介さなければ課金することができないので、キャリアを介さずに課金したいという要請もあった。
【００１０】
本発明は、上述した課題を解決するために提案されたものであり、正規のユーザ以外のユーザに対するコンテンツ配信を防止すると共に、携帯電話端末の通信サービスを提供する会社を介さずに課金できる、ユニークなＵＲＬ情報を用いた携帯電話端末へのコンテンツ配信サーバ装置及びシステムを提供することを目的とする。
【課題を解決するための手段】
【００１１】
請求項１の発明であるユニークなＵＲＬ情報を用いた携帯電話端末へのコンテンツ配信サーバ装置は、携帯電話端末から送信された端末識別情報、ＵＲＬ情報、及び機種情報を受信する情報受信手段と、複数のコンテンツを記憶するコンテンツ記憶手段と、前記情報受信手段によりユニークなＵＲＬ情報が受信された場合に、前記コンテンツ記憶手段に記憶された複数のコンテンツの中から所定数のコンテンツを選択するコンテンツ選択手段と、前記コンテンツ選択手段により選択された所定数のコンテンツと、前記情報受信手段により受信された前記ユニークなＵＲＬ情報と、当該ユニークなＵＲＬ情報と共に受信された前記端末識別情報と、当該ユニークなＵＲＬ情報と共に受信された機種情報と、を対応付けて記憶する対応関係記憶手段と、前記情報受信手段によりユニークなＵＲＬ情報が受信された場合に、前記コンテンツ選択手段により選択された所定数のコンテンツの少なくとも１つがダウンロード可能であることを示すダウンロード可能情報を、前記選択された所定数のコンテンツに対応付けられた端末識別情報の携帯電話端末に送信する情報送信手段と、前記送信手段によりダウンロード可能情報が送信された携帯電話端末から前記所定数のコンテンツの少なくとも１つのダウンロードの要求があった場合に、前記要求されたコンテンツに対応付けられた機種情報に応じて前記要求されたコンテンツを変換するコンテンツ変換手段と、前記コンテンツ変換手段により変換され、コピーが制限されたコンテンツを、当該コンテンツを要求した携帯電話端末へ送信するコンテンツ送信手段と、を備え、前記情報受信手段は、前記コンテンツ送信手段が前記コンテンツを送信した後に、他の端末識別情報、他のＵＲＬ情報、及び他の機種情報を更に受信し、前記情報送信手段は、前記他のＵＲＬ情報が前記対応関係記憶手段に既に記憶され、前記他の端末識別情報が前記他のＵＲＬ情報に対応付けられた端末識別情報と異なる場合に、コンテンツのダウンロードができないことを示す情報を前記他の端末識別情報の携帯電話端末に送信する。
【００１２】
請求項２の発明は、請求項１に記載のユニークなＵＲＬ情報を用いた携帯電話端末へのコンテンツ配信サーバ装置であって、前記コンテンツ選択手段は、前記他のＵＲＬ情報が前記対応関係記憶手段に記憶されていないユニークなＵＲＬ情報であり、かつ、前記他の端末識別情報が前記対応関係記憶手段に既に記憶されている場合に、前記コンテンツ記憶手段に記憶された複数のコンテンツの中から、前記他の端末識別情報に対応付けられている所定数のコンテンツと異なる所定数のコンテンツを選択する。
【００１３】
請求項３の発明は、請求項１または請求項２に記載のユニークなＵＲＬ情報を用いた携帯電話端末へのコンテンツ配信サーバ装置であって、前記情報送信手段は、前記他のＵＲＬ情報が前記対応関係記憶手段に既に記憶され、かつ、前記他の端末識別情報が前記既に記憶された他のＵＲＬ情報に対応付けられた端末識別情報と同一である場合に、前記他のＵＲＬ情報に対応付けられた所定数のコンテンツの少なくとも１つがダウンロード可能であることを示すダウンロード可能情報を、前記他の端末識別情報の携帯電話端末に送信する。
【００１４】
請求項４の発明であるユニークなＵＲＬ情報を用いた携帯電話端末へのコンテンツ配信システムは、請求項１から請求項３のいずれか１項に記載のユニークなＵＲＬ情報を用いた携帯電話端末へのコンテンツ配信サーバ装置と、端末識別情報と、機種情報と、２次元バーコードの読み取り結果から得られたＵＲＬ情報と、送信し、前記サーバ装置から送信されたコンテンツを受信する複数の携帯電話端末と、を備えている。
【発明の効果】
【００１５】
請求項１の発明によれば、所定数のコンテンツと、ユニークなＵＲＬ情報と、当該ユニークなＵＲＬ情報と共に受信された端末識別情報と、ユニークなＵＲＬ情報と共に受信された機種情報と、を対応付けて記憶することによって、ユニークなＵＲＬ情報を送信した携帯電話端末に対して、対応する所定数のコンテンツの中から要求されたコンテンツをダウンロードさせることができ、ユニークなＵＲＬ情報ではない他のＵＲＬ情報を送信した携帯電話端末に対してコンテンツのダウンロードを禁止し、更にダウンロードされたコンテンツのコピーを禁止することができる。
【００１６】
請求項２の発明によれば、同一の携帯電話端末のユーザが以前と異なるＵＲＬ情報を送信してアクセスした場合に、既に対応付けられた所定数のコンテンツと異なる所定数のコンテンツを選択することによって、当該ユーザに対して以前と異なる所定数のコンテンツの中から要求されたコンテンツをダウンロードさせることができる。
【００１７】
請求項３の発明によれば、同一の携帯電話端末のユーザが以前と同じＵＲＬ情報を送信してアクセスした場合に、当該ユーザに対して以前と同じ所定数のコンテンツの中から要求されたコンテンツをダウンロードさせることができる。
【００１８】
請求項４の発明によれば、ユニークなＵＲＬ情報を送信した携帯電話端末に対して、対応する所定数のコンテンツの中から要求されたコンテンツをダウンロードさせることができ、ユニークなＵＲＬ情報ではない他のＵＲＬ情報を送信した携帯電話端末に対して、コンテンツのダウンロードを禁止することができる。
【図面の簡単な説明】
【００１９】
【図１】本発明の実施形態に係るコンテンツ配信システムの構成を示すブロック図である。
【図２】携帯電話端末の構成を示すブロック図である
【図３】サーバ装置の構成を示すブロック図である
【図４】サーバ装置で受信された情報の対応関係を示す図である。
【図５】コンテンツ配信ルーチンを示すフローチャートである。
【発明を実施するための形態】
【００２０】
以下、本発明の好ましい実施の形態について図面を参照しながら詳細に説明する。
【００２１】
［第１の実施形態］
【００２２】
図１は、本発明の第１の実施形態に係るコンテンツ配信システムの構成を示すブロック図である。コンテンツ配信システムは、複数の携帯電話端末１０と、複数のコンテンツを記憶するサーバ装置２０と、サーバ装置２０と携帯電話端末１０との双方向通信を中継する基地局３０と、を備えている。
【００２３】
ここで、携帯電話端末１０のユーザは、例えばイベント会場において、コンテンツ提供会社からコンテンツ取得カードを購入する。各々のコンテンツ取得カードには、それぞれユニークな（独自の／唯一の）ＵＲＬ情報を示す２次元コードが印刷されている。つまり、各々のコンテンツ取得カードに印刷されている２次元コード（ＵＲＬ情報）は、すべて異なっている。一方、コンテンツ提供会社は、予め、配信用のコンテンツをサーバ装置２０にアップロードしている。
【００２４】
携帯電話端末１０は、電波を送受信することで基地局３０に接続して、サーバ装置２０との間で情報を送受信する。
【００２５】
図２は、携帯電話端末１０の構成を示すブロック図である。携帯電話端末１０は、サーバ装置２０との間で情報を送受信する送受信部１１と、２次元コードを読み取る画像読取部１２と、ユーザによる操作指示が入力される操作部１３と、サーバ装置２０からダウンロードされたコンテンツを記憶するコンテンツ記憶部１４と、携帯電話端末１０を全体的に制御する演算処理部１５と、ダウンロードされたコンテンツを表示する表示部１６と、を備えている。
【００２６】
ユーザが操作部１３を操作して、コンテンツ取得カードに印刷された２次元コードの読み取りを指示すると、画像読取部１２は、コンテンツ取得カードに印刷された２次元コードを読み取る。演算処理部１５は、画像読取部１２で読み取られた２次元コードの画像をＵＲＬ情報に変換する。そして、送受信部１１は、２次元コードから変換されたＵＲＬ情報、当該携帯電話端末１０に固有の端末識別情報、携帯電話端末２０の機種情報をサーバ装置２０へ送信する。
【００２７】
図３は、サーバ装置２０の構成を示すブロック図である。サーバ装置２０は、サーバ装置１０との間で情報を送受信する送受信部２１と、送受信部２１で受信された情報を記憶する受信情報記憶部２２と、サーバ装置２０の全体制御を行う演算処理部２３と、コンテンツを記憶する配信用コンテンツ記憶部２４と、対応関係記憶部２５と、を備えている。
【００２８】
送受信部２１は、携帯電話端末１０から送信された情報（例えば、携帯電話端末１０に固有の端末識別情報、機種情報、ＵＲＬ情報）を受信し、又は、サーバ装置２０内部で処理されたコンテンツを携帯電話端末１０へ送信する。受信情報記憶部２２は、送受信部２１で受信された情報を一時的に記憶する。
【００２９】
演算処理部２３は、サーバ装置２０の各部にアクセスして必要な情報を読み出し、所定の演算処理をする。例えば、演算処理部２３は、送受信部２１でユニークなＵＲＬ情報が受信されると、配信用コンテンツ記憶部２４に記憶されている複数のコンテンツから所定数のコンテンツを選択する。なお、選択されるコンテンツの数（所定数）は、特に限定されるものではなく、オペレータにより自由に設定可能である。また、コンテンツの選択方法は特に限定されるものではなく、演算処理部２３は、例えばランダムにコンテンツを選択してもよいし、予め決められた選択パターンに従ってコンテンツを選択してもよい。
【００３０】
また、演算処理部２３は、配信用コンテンツ記憶部２４から所定のコンテンツを読み出して、コンテンツの送信先の携帯電話端末１０に対応するように、読み出したコンテンツに画像変換処理を施す。例えば、コンテンツが待ち受け画面である場合、携帯電話端末１０で表示できるように待ち受け画面のサイズが変更される。
【００３１】
配信用コンテンツ記憶部２４は、複数のコンテンツを記憶している。コンテンツは、例えば、画像、映画、音声などがあり、更に詳細には、待ち受け画面画像、音楽ファイル、ゲーム用アプリケーションソフトウエア等があり、特に限定されるものではない。
【００３２】
対応関係記憶部２５は、送受信部２１にユニークなＵＲＬ情報が受信される毎に、選択された所定数のコンテンツと、当該ユニークなＵＲＬ情報と、当該ユニークなＵＲＬ情報と共に受信された端末識別情報と、当該ユニークなＵＲＬ情報と共に受信された機種情報と、を対応付けて記憶する。
【００３３】
したがって、コンテンツ取得カードに印刷された２次元バーコードが示すＵＲＬ情報であって未送信のものは、配信用コンテンツ記憶部２４に記憶されているコンテンツのいずれとも対応付けられていない。そして、そのユニークなＵＲＬ情報がサーバ装置２０で受信された場合に、当該ＵＲＬ情報とコンテンツとが対応付けられる。
【００３４】
図４は、対応関係記憶部２５に記憶されている情報の対応関係を示す図である。同図に示すように、対応関係記憶部２５には、例えば、選択されたコンテンツ１〜５、ＵＲＬ１、端末識別情報ＡＡＡ、機種情報ａａａ、受信日時Ｘ月Ｘ日Ｘ時Ｘ分がそれぞれ対応付けられて記憶されている。
【００３５】
そして、以上のように構成されたサーバ装置２０の演算処理部２３は、次のコンテンツ配信ルーチンを実行する。
【００３６】
図５は、コンテンツ配信ルーチンを示すフローチャートである。
【００３７】
ステップＳ１では、演算処理部２３は、携帯電話端末１０から送信された情報（端末識別情報、機種情報、ＵＲＬ情報）を送受信部２１で受信されたかを判定し、送受信２１で情報が受信されるまで待機する。そして、送受信部２１で情報が受信されると、演算処理部２３は次のステップＳ２の処理へ進む。
【００３８】
ステップＳ２では、演算処理部２３は、送受信部２１で受信されたＵＲＬ情報が対応関係記憶部２５に記憶されていないユニークなＵＲＬ情報であるかを判定し、肯定判定である場合はステップＳ３の処理に進み、否定判定である場合はステップＳ５の処理へ進む。
【００３９】
ステップＳ３では、演算処理部２３は、配信用コンテンツ記憶部２４に記憶されている複数のコンテンツから所定数（本実施形態では例えば５個）のコンテンツを選択する。なお、選択の仕方は特に限定されないが、演算処理部２３は例えばランダムに５個のコンテンツを選択してもよい。
【００４０】
また、演算処理部２３は、ステップＳ１で受信された端末識別情報が対応関係記憶部２５に既に記憶されている場合（同一の携帯電話端末のユーザが異なるＵＲＬ情報を用いてアクセスした場合）、配信用コンテンツ記憶部２４に記憶されているコンテンツの中から、当該端末識別情報に対応付けられているコンテンツ以外の所定数のコンテンツを選択する。これにより、ユーザは、以前にダウンロードしたコンテンツと異なるコンテンツをダウンロードできるようになる。
【００４１】
例えば、ダウンロード可能なコンテンツは、第１のＵＲＬ情報でのアクセス時では、画像Ａ１、Ａ２、Ａ３であり、第２のＵＲＬ情報でのアクセス時では画像Ｂ１、Ｂ２、Ｂ３になり、第３のＵＲＬ情報でのアクセス時ではゲームＧ１、Ｇ２、Ｇ３になる。このように、同一の携帯電話端末１０のユーザが異なるＵＲＬ情報でアクセスする毎に、異なるコンテンツがダウンロード可能になる。
【００４２】
ステップＳ４では、演算処理部２３は、ステップＳ３で選択された所定数のコンテンツと、送受信部２１で受信された情報である端末識別情報、機種情報、ＵＲＬ情報をそれぞれ対応付けて、これらの対応関係を対応関係記憶部２５に記憶させる。そして、ステップＳ５の処理へ進む。
【００４３】
一方、ステップＳ５では、演算処理部２３は、ステップＳ１で受信された端末識別情報と同一の端末識別情報が対応関係記憶部２５に記憶されているかを判定する。肯定判定の場合は、同一の携帯電話端末１０のユーザが同一のＵＲＬ情報に２回以上アクセスした場合であり、ステップＳ６へ進む。
【００４４】
否定判定の場合は、初回アクセス時と異なるユーザが同一のＵＲＬ情報にアクセスした場合、すなわち、正規にコンテンツ取得カードを購入していないユーザがアクセスした場合であり、ステップＳ９へ進む。
【００４５】
ステップＳ６では、演算処理部２３は、ステップＳ１で受信されたＵＲＬ情報に対応付けられた所定数のコンテンツのいずれか１つがダウンロード可能であることを示すメッセージを、送受信部２１を介して、ステップＳ１で受信された情報の送信元の携帯電話端末１０へ送信する。
【００４６】
なお、演算処理部２３は、同一の携帯電話端末１０のユーザが同一のＵＲＬ情報に２回以上アクセスした場合（ステップＳ５の肯定判定を経た）であっても、上記のメッセージを、送受信部２１を介して送信する。これにより、同一の携帯電話端末１０のユーザが同一のＵＲＬ情報に何度もアクセスしても、常に、同一のコンテンツのみダウンロード可能になっている。そして、ステップＳ７の処理へ進む。
【００４７】
ステップＳ７では、演算処理部２３は、携帯電話端末１０から、任意のコンテンツについてのダウンロード要求を受信するまで待機し、その要求を受信すると、ステップＳ８の処理へ進む。
【００４８】
ステップＳ８では、演算処理部２３は、携帯電話端末１０から要求されたコンテンツを配信用コンテンツ記憶部２４から読み出す。次に、演算処理部２３は、対応関係記憶部２５に記憶された当該携帯電話端末１０の機種情報に応じて、配信用コンテンツ記憶部２４から読み出されたコンテンツを変換し、変換済みのコンテンツに対してコピーを制限するコピー制限フラグを付加する。なお、コピー制限フラグがコンテンツに付加されるタイミングは、特に限定されるものではなく、例えば、ステップＳ８より前のステップであってもよいし、更にユーザのアクセス前であってもよい。
【００４９】
ところで、あるキャリアの携帯電話端末は、コンテンツをダウンロードした場合、コピー制限フラグが付加されていることを認識して当該コンテンツのコピーを禁止できる。しかし、他のキャリアの携帯電話端末は、コンテンツにコピー制限フラグが付加されていることを認識できないため、当該コンテンツのコピーを禁止できない。このため、他のキャリアの携帯電話端末に対して、コンテンツにコピー制限フラグが付加されていることを認識させる必要がある。
【００５０】
そこで、演算処理部２３は、当該コンテンツを要求した携帯電話端末１０の機種情報に基づいて、当該携帯電話端末１０が上述した他のキャリアを示す場合に、コピー制限フラグが付加されたコンテンツのファイル名（例えば拡張子）を変更する。これにより、上述した他のキャリアの携帯電話端末１０は、ファイル名が変更されたコンテンツをダウンロードすると、そのコンテンツはコピー禁止であることを認識できる。なお、当該携帯電話端末１０が上述した他のキャリアでない場合、ファイル名の変更は不要である。
【００５１】
最後に、演算処理部２３は、コピー制限フラグが付加されたコンテンツを、送受信部２１を介して、当該コンテンツを要求した携帯電話端末１０へ送信する。そして、本ルーチンが終了する。
【００５２】
また、ステップＳ９では、演算処理部２３は、配信用コンテンツ記憶部２４からのコンテンツのダウンロードができないことを示すエラーメッセージを、送受信部２１して、ステップＳ１で受信された情報の送信元の携帯電話端末１０へ送信する。そして、本ルーチンが終了する。
【００５３】
なお、エラーメッセージは、正規のユーザでない第三者からのアクセス回数に応じて替えても良い。例えば、１回目のエラーメッセージはダウンロード不可の説明のみを示し、２回目のエラーメッセージはダウンロード不可の説明に広告を加えてもよい。
【００５４】
以上のように、本実施形態に係るサーバ装置２０は、ユーザの使用する携帯電話端末１０からユニークなＵＲＬ情報へのアクセスがあった場合に、所定数のコンテンツを選択し、選択したコンテンツと、当該携帯電話端末１０の端末識別情報と、ユニークなＵＲＬ情報とを対応付けて記憶する。そして、サーバ装置２０は、初回アクセス時のユーザのみ上記ＵＲＬ情報へのアクセスを許可し、他のユーザについては上記ＵＲＬ情報へのアクセスを禁止する。これにより、コンテンツ取得カードを正規に購入したユーザのみが、サーバ装置２０からコンテンツをダウンロードすることができる。
【００５５】
一方、従来、コンテンツ提供会社は、ＵＲＬ情報を販売しても、購入者がそのＵＲＬ情報を第三者に教えた場合は、第三者によるコンテンツのダウンロード（いわゆる「なりすまし」）を禁止することができなかった。また、第三者によるコンテンツのダウンロードを禁止するために、コンテンツのダウンロードの条件として、ＩＤやパスワードの入力をユーザに要求することができるが、面倒な手間がかかってしまう。更に、携帯電話端末の通信サービスを行う会社（キャリア）を仲介しないと、コンテンツに対して課金できない問題があった。
【００５６】
これに対して、コンテンツ提供会社は、ユニークなＵＲＬ情報を表す２次元コードがそれぞれ印刷されたコンテンツ取得カードを販売し、上記サーバ装置２０にコンテンツをアップロードしておけば、初回アクセス時のユーザのみコンテンツのダウンロードを許可し、他のユーザのダウンロードを禁止することができる。このため、コンテンツ提供会社は、携帯電話端末のキャリアを仲介することなく、コンテンツを販売することが可能になる。
【００５７】
なお、サーバ装置２０は、コンテンツの一例である音楽ファイル、フラッシュゲーム、映画コンテンツを、配信先の携帯電話端末１０で再生可能な形式に変換して配信してもよい。また、サーバ装置２０は、携帯電話端末１０を使用するユーザの年齢に応じて（年齢制限して）、画像コンテンツ、映画コンテンツ、音声コンテンツをそれぞれ選択して配信してもよい。さらに、サーバ装置２０は、携帯電話端末１０の現在位置を取得して、その現在位置に応じて、画像コンテンツ、映画コンテンツ、音声コンテンツをそれぞれ選択して配信してもよい。
【００５８】
なお、本発明は、上述した実施の形態に限定されるものではなく、特許請求の範囲に記載された範囲内で設計上の変更をされたものにも適用可能であるのは勿論である。
【符号の説明】
【００５９】
１０  携帯電話端末
１１，２１  送受信部
１２  画像読取部
１３  操作部
１４  コンテンツ記憶部
１５，２３  演算処理部
１６  表示部
２０  サーバ装置
２２  受信情報記憶部
２４  配信用コンテンツ記憶部
２５  対応関係記憶部
３０  基地局
【図１】
2011010136.tif 000003
【図２】
2011010136.tif 000004
【図３】
2011010136.tif 000005
【図４】
2011010136.tif 000006
【図５】
2011010136.tif 000007